(57)【特許請求の範囲】
【請求項１】
クリーナとして機能させるにあたって設定される吸込み口に補助器具としてのパワーノズルが取り付けられるクリーナであって、
前記パワーノズルは、前記吸込み口に連結されるパイプ形の連結部と、該連結部に対して該パイプ形の周方向に相対的に回転可能に結合されるヘッド部と、を有し、
前記ヘッド部は、電力供給により回転駆動するモータと、該モータの回転駆動を受けて回転される回転ブラシと、を有し、
前記モータは、前記ヘッド部が前記連結部と連結される箇所に対して一側に配置されており、且つ、前記吸込み口に前記連結部を連結した場合に電気的に接続されるコネクタ部と結線される電線を介して電力が供給されており、
前記モータに結線される電線の第１の電線は、前記連結部のパイプ形の前記一側の周面に沿って配線されており、
前記モータに結線される電線の第２の電線は、前記一側の周面とは反対側の周面となる前記連結部のパイプ形の他側の周面に沿って配線されており、
前記コネクタ部から引き出される前記第１の電線および前記第２の電線の引出し位置は、前記連結部のパイプ形の周面の上側に設定されており、
前記モータに送り出される前記第１の電線および前記第２の電線の送出し位置は、前記連結部のパイプ形の周面のうち該モータの対面側となる前記一側に設定されている、クリーナ。
【請求項２】
請求項１に記載のクリーナにおいて、
前記一側の周面に沿って配線される前記第１の電線を、前記コネクタ部で前記一側に結線される電線で設定し、
前記他側の周面に沿って配線される前記第２の電線を、前記コネクタ部で前記他側に結線される電線で設定する、クリーナ。
【請求項３】
請求項１または請求項２に記載のクリーナにおいて、
前記コネクタ部と前記引出し位置との間には、前記コネクタ部から引き出される前記電線の位置を固定支持する支持リブが設けられている、クリーナ。
【請求項４】
請求項１から請求項３のいずれか１項に記載したクリーナにおいて、
前記引出し位置の周辺には、前記連結部のパイプ形の周面上を周方向で前記電線を移動可能とする空間設定部が設けられている、クリーナ。
【発明の詳細な説明】
【技術分野】
【０００１】
この発明は、クリーナに関する。
【背景技術】
【０００２】
クリーナにあっては、クリーナ本体の前端に取り付けられるノズルが、パワーノズルと称されるノズルで構成されるものが知られている（例えば特許文献１参照）。パワーノズルは、電動モータ（以下「ノズルモータ」）と回転ブラシとを内蔵し、回転ブラシを回転させることによりクリーナとして吸込み機能を高める。ノズルモータにあっては、軽量化の観点からクリーナ本体側から送られる電力が利用される。つまり、ノズルモータを駆動させる電力は、クリーナ本体に内蔵される電動モータ（以下「本体モータ」）を駆動させる電力と共用されている。このため、クリーナ本体からパワーノズルには電線が結線されている。
【先行技術文献】
【特許文献】
【０００３】
【特許文献１】特開２０１３−２０２０７９号公報
【発明の概要】
【発明が解決しようとする課題】
【０００４】
一方、パワーノズルにあっては、吸い込む方向を変えることができるように連結部分に対してヘッド部分が相対的に回転可能に設定されている。このようにヘッド部分が回転可能に設定されていると、パワーノズルを狭いところまで侵入させることができて細かな掃除の利便性を高める。このため、ヘッド部分の回転角度は、クリーナの利便性に鑑み、なるべく拡げられるように設定したい。他方、ヘッド部分にはノズルモータが内蔵されている。このため、連結部分に対するヘッド部分の相対的な回転は、ノズルモータに結線される電線を屈曲させることとなる。このような電線の屈曲が局所的に集中してしまうと、電線の断線原因にもなりかねず、なるべく取り除いておきたい。
【０００５】
本発明は、このような事情に鑑みなされたものであって、本発明が解決しようとする課題は、パワーノズルのノズルモータにクリーナ本体から電線が結線されるクリーナにおいて、ノズルモータに結線される電線の屈曲が局所的に集中してしまうのを無くして、電線の断線原因を取り除くようにすることにある。
【課題を解決するための手段】
【０００６】
上記した課題を解決するにあたって、本発明に係るクリーナは次の手段をとる。すなわち、本発明の第１の発明に係るクリーナは、クリーナとして機能させるにあたって設定される吸込み口に補助器具としてのパワーノズルが取り付けられるクリーナであって、前記パワーノズルは、前記吸込み口に連結されるパイプ形の連結部と、該連結部に対して該パイプ形の周方向に相対的に回転可能に結合されるヘッド部と、を有し、前記ヘッド部は、電力供給により回転駆動するモータと、該モータの回転駆動を受けて回転される回転ブラシと、を有し、前記モータは、前記ヘッド部が前記連結部と連結される箇所に対して一側に配置されており、且つ、前記吸込み口に前記連結部を連結した場合に電気的に接続されるコネクタ部と結線される電線を介して電力が供給されており、前記モータに結線される電線の第１の電線は、前記連結部のパイプ形の前記一側の周面に沿って配線されており、前記モータに結線される電線の第２の電線は、前記一側の周面とは反対側の周面となる前記連結部のパイプ形の他側の周面に沿って配線されている、という構成である。
【０００７】
この第１の発明に係るクリーナによれば、第１の電線は連結部のパイプ形の一側の周面に沿って配線され、第２の電線は連結部のパイプ形の他側の周面に沿って配線される。これによって、電線を２方向に回して配線することができるので電線の重なりを防ぐことができる。したがって、電線が重なることにより生じてしまう電線の屈曲を防止することができる。つまり、電線の屈曲が局所的に集中してしまうのを無くして、電線の断線原因を取り除くことができる。さらに言えば、第１の電線と第２の電線のそれぞれが、互いに相反する方向に引き回して配線されるので、部材を組み付ける際の電線の収容を確実に行うことができる。これによって、収容した電線を覆うように別部材を組み付けるに際しての組付け作業の容易化かつ確実化を図ることができる。
【０００８】
本発明の第２の発明に係るクリーナは、前記第１の発明に係るクリーナにおいて、前記一側の周面に沿って配線される前記第１の電線を、前記コネクタ部で前記一側に結線される電線で設定し、前記他側の周面に沿って配線される前記第２の電線を、前記コネクタ部で前記他側に結線される電線で設定する、という構成である。
【０００９】
この第２の発明に係るクリーナによれば、一側の周面に沿って配線される第１の電線を一側のコネクタ部に結線される電線で設定し、他側の周面に沿って配線される第２の電線を他側のコネクタ部に結線される電線で設定している。これによって、電線は引き出される箇所から重なることなく分けられる。したがって、電線が重なることにより生じる電線の屈曲を更に防止すると共に、部材を組み付ける際の電線の収容を更に確実に行うことができる。
【００１０】
本発明の第３の発明に係るクリーナは、前記第１または前記第２の発明に係るクリーナにおいて、前記コネクタ部から引き出される前記第１の電線および前記第２の電線の引出し位置は、前記連結部のパイプ形の周面の上側に設定されており、前記モータに送り出される前記第１の電線および前記第２の電線の送出し位置は、前記連結部のパイプ形の周面のうち該モータの対面側となる前記一側に設定されている、という構成である。ここで「該モータの対面側」としては、前記連結部のパイプ形の周面の左側もしくは右側のいずれかである。
【００１１】
この第３の発明に係るクリーナによれば、電線の引出し位置はパイプ形の周面の上側に設定されており、電線の送出し位置はパイプ形の周面の一側に設定されている。これによって、一側の周面に沿って配線される第１の電線の長さと、他側の周面に沿って配線される第２の電線の長さとを不等長となる長さにすることができる。したがって、ヘッド部を連結部に対して周方向に相対的に回転させるにあたって、第１の電線と第２の電線とが撓む互いの撓み量を相対的に相違したものにできる。このようにして、第１の電線と第２の電線との互いの電線同士の重なりをより高く防ぐことができて、電線同士の屈曲をより防止することができる。なお、電線の引出し位置と電線の送出し位置との相対位置関係は、適宜に選択変更することが可能である。つまり、一側の周面に沿って配線される第１の電線の長さと、他側の周面に沿って配線される第２の電線の長さとが、互いに不等長な長さに設定されることを条件に、引出し位置と送出し位置とは適宜に設定することができる。
【００１２】
本発明の第４の発明に係るクリーナは、前記第３の発明に係るクリーナにおいて、前記コネクタ部と前記引出し位置との間には、前記コネクタ部から引き出される前記電線の位置を支持する支持リブが設けられている、という構成である。この第４の発明に係るクリーナによれば、支持リブがコネクタ部から引き出される電線の位置を固定支持するので、このコネクタ部にて負荷がかかることがあっても、引き出される電線を撓ませることがなくなる。したがって、電線の局所的な屈曲をより防止して、より電線の断線原因を取り除くことができる。
【００１３】
本発明の第５の発明に係るクリーナは、前記第３または前記第４の発明に係るクリーナにおいて、前記引出し位置の周辺には、前記連結部のパイプ形の周面上を周方向で前記電線を移動可能とする空間設定部が設けられている、という構成である。この第５の発明に係るクリーナによれば、引出し位置の周辺に設けられる空間設定部により、パイプ形の周面上を周方向で電線を移動させ易くする。これによって、引出し位置の周辺で電線の局所的な屈曲をより防ぐことができて、より電線の断線原因を取り除くことができる。
【図面の簡単な説明】
【００１４】
【図１】クリーナの斜視外観を示す斜視図である。
【図２】クリーナの側面視外観を示す平面図である。
【図３】クリーナの上面視外観を示す平面図である。
【図４】パワーノズルの斜視外観を示す斜視図である。
【図５】パワーノズルの上面視外観を示す平面図である。
【図６】パワーノズルの側面視外観を示す平面図である。
【図７】パワーノズルの後面視外観を示す平面図である。
【図８】パワーノズルの下面視外観を示す平面図である。
【図９】パワーノズルの内部構造を示す分解斜視図である。
【図１０】パワーノズルの内部構造を示す分解側面視図である。
【図１１】図１０の左右中央縦断面を示す断面図である。
【図１２】上ハウジングを取り外したパワーノズルの上面視を示す平面図である。
【図１３】図１１に示す各部材を組み付けたパワーノズルを示す断面図である。
【図１４】図６の(XIV)-(XIV)断面矢視を示す断面図である。
【図１５】図６の(XV)-(XV)断面矢視を示す断面図である。
【図１６】パイプ部材におけるリード線の配線を示す斜視図である。
【図１７】図１６においてリード線の配線を正面視により示す正面視図である。
【図１８】図１６においてリード線の配線を上面視により示す上面視図である。
【図１９】パイプ部材が左９０度に回転したリード線を示す正面視図である。
【図２０】パイプ部材が左９０度に回転したリード線を示す左側面視図である。
【図２１】パイプ部材が右９０度に回転したリード線を示す正面視図である。
【図２２】パイプ部材が右９０度に回転したリード線を示す右側面視図である。
【発明を実施するための形態】
【００１５】
以下、本発明に係るクリーナを実施するための実施の形態について説明する。この実施の形態にて説明するクリーナは、充電式バッテリが内蔵される手持ち式のクリーナである。図１の斜視図はクリーナ１０の斜視外観を示す。図２の平面図はクリーナ１０の側面視外観を示す。図３の平面図はクリーナ１０の上面視外観を示す。なお、このクリーナ１０を説明するにあたっては、図示に記載のとおり上下前後左右の方向に基づいて説明するものとする。図１〜図３に示すクリーナ１０は、概略、クリーナ本体１１と、延長パイプ３０と、パワーノズル４０とを有する。クリーナ本体１１は、周知のクリーナの構造が採用されている。すなわち、クリーナ本体１１は、左右２つ割りの本体ハウジング１２に本体モータ１３を内蔵して構成される。
【００１６】
本体モータ１３は、電力が供給されることにより回転軸を回転駆動させる電動モータである。本体モータ１３の図示省略の回転軸には、吸引風を発生させるファン１４が取り付けられる。また、本体ハウジング１２の内部には、本体モータ１３の駆動の制御を行う図示省略の基板が設けられる。また、本体ハウジング１２の下部には、本体モータ１３に電力を供給する充電式バッテリ１５が設けられる。また、本体ハウジング１２の内部には、吸引風により吸引された塵埃を除去するためのフィルタ１６が設けられており、溜まった塵埃を除去するために開け閉めされる開閉カバー１７が設けられる。また、クリーナ本体１１の後部には、ハンドル部１８が設けられている。ハンドル部１８の上部には、操作入力部１９が設けられる。つまり、操作入力部１９は、使用者の操作入力に応じて基板に操作信号を送る。基板は、充電式バッテリ１５から電力を供給するための信号を本体モータ１３に出力し、本体モータ１３は充電式バッテリ１５から電力が供給される。
【００１７】
上記したクリーナ本体１１の前端には吸込み口２２が設けられる。この吸込み口２２は、前側へとパイプ形に突出された突出パイプ部２１の前端開口部分により設定される。なお、この突出パイプ部２１には、延長パイプ３０の後端部分を連結するための連結機構２３が設けられる。連結機構２３は、図示省略する係止フックとコネクタ端子２３２とを有する。係止フックは、延長パイプ３０の後端部分に設けられる雌フック部（図示符号５６２と同様の構成）に係止するフック形状を有して形成される。この係止フックは、解除ボタン２３１の押下により、延長パイプ３０の後端部分に設定される雌フック部への係止を解除する。
【００１８】
コネクタ端子２３２は、充電式バッテリ１５から電力が供給される基板と電気的に接続され、延長パイプ３０のコネクタ部（図示符号５４と同様の構成）と電気的に接続可能に設定される。つまり、延長パイプ３０の後端部分を突出パイプ部２１に連結することにより、コネクタ端子２３２は延長パイプ３０のコネクタ部と電気的に接続される。このような延長パイプ３０の後端側は、突出パイプ部２１に連結可能とする被連結部３３が設定される。被連結部３３は、上記した突出パイプ部２１に連結可能に構成される。具体的には、被連結部３３は、突出パイプ部２１に設定される連結機構２３に対応する構造が設けられる。なお、被連結部３３は、後に詳述するパワーノズル４０に設定される被連結部５６と同様に構成される。このため、この被連結部３３の構造については、後に詳述するパワーノズル４０の被連結部５６の構成を参照にされたい。
【００１９】
これに対して、延長パイプ３０の前端側には突出パイプ部３５が設けられる。突出パイプ部３５は、上記したクリーナ本体１１の突出パイプ部２１と同様に構成される。この延長パイプ３０の突出パイプ部３５には、上記した突出パイプ部２１と同様の係止フックとコネクタ端子３７２とを有する連結機構３７が設けられている。この連結機構３７は、上記した連結機構２３と同様に構成される。つまり、この連結機構３７にも、上記した解除ボタン２３１と同様の解除ボタン３７１が設けられている。なお、突出パイプ部３５の前端には吸込み口３６が設けられている。この吸込み口３６が本発明に係るクリーナ本体１１に設定される吸込み口に相当する。この吸込み口３６は、パイプ形にて前側に突出された突出パイプ部３５の前端開口部分により設定される。なお、この延長パイプ３０の後端から前端にかけての中間範囲は長く延びるパイプ形に設定される。また、図１〜図３に示す延長パイプ３０には、連結リング３８を介してスキマノズル３９が保持されている。
【００２０】
次に、パワーノズル４０について説明する。このパワーノズル４０は、本発明に係る補助器具に相当する部材である。パワーノズル４０は、上記した突出パイプ部３５の吸込み口３６に取り付けられる。なお、吸込み口３６には、このようなパワーノズル４０のほか、不図示の通常ノズルや上記したスキマノズル３９が取り付けられる。パワーノズル４０は、図４〜図１５に示すとおりに構成される。すなわち、図４の斜視図はパワーノズル４０の斜視外観を示す。図５の平面図はパワーノズル４０の上面視外観を示す。図６の平面図はパワーノズル４０の側面視外観を示す。図７の平面図はパワーノズル４０の後面視外観を示す。図８の平面図はパワーノズル４０の下面視外観を示す。図９の斜視図はパワーノズル４０の内部構造の分解斜視を示す。図１０の平面図はパワーノズル４０の内部構造の分解側面視を示す。図１１の断面図は図１０の左右中央縦断面を示す。図１１の断面図は図１０の左右中央縦断面を示す。
【００２１】
図示されるパワーノズル４０は、大まかに、連結部５０とヘッド部８０とを有して構成される。連結部５０は、パイプ形に設定されて上記した吸込み口３６に連結可能となっている。ヘッド部８０は、電動モータ８５および回転ブラシ８７を有して構成される。ヘッド部８０は、後に詳述するが、連結部５０に対してパイプ形の周方向で相対的に回転可能に結合される。なお、図１２の平面図は上ハウジング８１２を取り外したパワーノズル４０の上面視を示す。図１３の断面図は図１１に示す各部材を組み付けたパワーノズル４０を示す。図１４の断面図は図６の(XIV)-(XIV)断面矢視を示す。図１５の断面図は図６の(XV)-(XV)断面矢視を示す。以下に、連結部５０とヘッド部８０を詳細に説明する。
【００２２】
連結部５０は、概略、パイプ部材５１と支持リング７０とを有する。パイプ部材５１は、パイプ本体５２とカバー部材６０とを有する。パイプ本体５２は、中間部分を一部屈曲させた筒形をなして形成される。具体的には、パイプ本体５２は、側面視した場合に「へ」字をなすようにへ字形屈曲部５３が設けられている。すなわち、パイプ本体５２は、へ字形屈曲部５３を境界にして、後側部分が本体連結部５５として設定されており、前側部分がヘッド連結部６５として設定されている。逆に言えば、略筒形に延びる本体連結部５５と略筒形に延びるヘッド連結部６５とは、「へ」字をなすように屈曲されるへ字形屈曲部５３を境界にして互いが連接されて成形されている。このようにして、本体連結部５５とヘッド連結部６５とのそれぞれの筒形の延びる方向は、互いに交差する相違する方向に設定される。
【００２３】
本体連結部５５は、上記した延長パイプ３０の突出パイプ部３５に連結される。この本体連結部５５は、被連結部５６と、保持リブ部５７と、カバー支持部５８と、螺子留めボス５９とを有する。被連結部５６は、上記した突出パイプ部２１に設定される被連結部３３と同様に構成される。すなわち、被連結部５６は、結合部５６１と雌フック部５６２とを有する。結合部５６１は、延長パイプ３０の突出パイプ部３５と連結可能に縮径された円筒形状に形成される。つまり、結合部５６１の外周径は、突出パイプ部３５の内周径よりも小さく設定されており、突出パイプ部３５の内周側に収容させることができる。この結合部５６１の外周面には、雌フック部５６２が設けられている。この雌フック部５６２は、この結合部５６１が突出パイプ部３５内に収容された場合に、図示省略される係止フックが係止される。
【００２４】
保持リブ部５７は、後に説明する接続端子４２を保持するリブである。保持リブ部５７は、上記した結合部５６１の前端位置に設定される。この接続端子４２は、後に説明する電動モータ８５に電力を供給するリード線４５に接続される端子である。このため、この接続端子４２は、電動モータ８５に電力を供給する閉回路をなす２つ設けられるものとなっている。この接続端子４２は、コネクタ部４３と被保持部４４とを有して構成される。コネクタ部４３は、突出パイプ部３５のコネクタ端子３７２と電気的に接続される部分である。具体的には、吸込み口３６に本体連結部６５を連結した場合に、コネクタ部４３は、コネクタ端子３７２と電気的に結線される。つまり、リード線４５を介して電動モータ８５に電力を供給することができる。被保持部４４は、保持リブ部５７に保持される部分である。このように設定される接続端子４２は、２つのコネクタ部４３を同時に接続できるように、並列配置されて保持リブ部５７により支持される。
【００２５】
保持リブ部５７は、パイプ本体５２の周面から外側に突出されるようにして設けられている。保持リブ部５７の前側には、接続端子４２の被保持部４４を保持するための嵌合保持部５７１が隣接して設けられている。この嵌合保持部５７１は、接続端子４２の一部を嵌合させる適宜の凹形状を有して設定される。嵌合保持部５７１に保持された被保持部４４は、カバー部材６０の螺子留めにより保持リブ部５７に対して固定される。つまり、図示省略しているが、カバー部材６０の裏面には保持リブ部５７を抑える適宜の凸形状が設けられている。このように保持リブ部５７に対して固定支持される被保持部４４は、コネクタ部４３を含む接続端子４２のパイプ本体５２に対する相対的な位置関係を固定する。なお、コネクタ部４３は、保持リブ部５７にて支持されて結合部５６１側に露出される部分で設定される。
【００２６】
上記したように固定された接続端子４２は、ヘッド部８０に向けてリード線４５が延ばされる。具体的には、リード線４５は、上記した嵌合保持部５７１に保持された被保持部４４から引き出される。このリード線４５は、本発明に係る電線に相当する。このコネクタ部４３から引き出される２本のリード線４５のうち、左側（図９等の図面上では図示右側）に配置されるの第１リード線４５１であり、右側（図９等の図面上では図示左側）に配置されるの第２リード線４５２である。ここで、第１リード線４５１は本発明に係る第１の電線に相当し、第２リード線４５２は本発明に係る第２の電線に相当する。これら第１リード線４５１および第２リード線４５２は、連結部５０のパイプ形の周面の上側に設定される。
【００２７】
カバー部材６０には、螺子留め孔６０１が設けられている。螺子留め孔６０１は、螺子留めボス５９に螺子留めする螺子部材５９５を挿し通す孔である。カバー部材６０には、支持縁部５８１に当接支持される外周端縁６０２が設けられている。また、カバー部材６０は、カバー支持部５８の係止凹部５８２に係止する係止鉤部６０３が設けられている。カバー部材６０は、係止凹部５８２に係止鉤部６０３を係止させながら支持縁部５８１に当接支持させることにより、パイプ本体５２に対する相対的な位置関係が固定される。ここで、カバー部材６０には、外側に張り出されるドーム形部６０５が設けられている。ドーム形部６０５は、カバー部材６０をパイプ本体５２に固定した場合に、リード線４５を移動可能とする引出し空間（Ｓ１）を設定する。
【００２８】
引出し空間（Ｓ１）は、連結部５０のパイプ形の周面上を周方向（略左右方向）でリード線４５を移動可能とする。この引出し空間（Ｓ１）は、引出し位置（Ｐ１）として設定されるへ字形屈曲部５３の周辺に亘って設定される。この引出し空間（Ｓ１）は、カバー部材６０に対面するパイプ本体５２の上側周面５２１がカバー部材６０から離間されるように、カバー部材６０を支持する保持リブ部５７が設定されることにより設けられる。つまり、この保持リブ部５７とカバー部材６０とは、本発明に係る空間設定部に相当する。このように設けられる引出し空間（Ｓ１）は、リード線４５が連結部５０のパイプ形の周面上を周方向（略左右方向）に移動可能にすることができる。具体的には、リード線４５は、この引出し空間（Ｓ１）の内部で、適宜に撓むことができる。なお、この引出し空間（Ｓ１）は、本体連結部５５からヘッド連結部６５に亘って設けられている。また、後に詳述するが、引出し空間（Ｓ１）は、後に説明する周回配線空間（Ｓ２）に対して互いの空間範囲が連なるように設定されている。
【００２９】
リード線４５の引出し位置（Ｐ１）は、リード線４５が上下方向で折れ曲がることが要されるへ字形屈曲部５３の位置で設定されている。ここで、コネクタ部４３と引出し位置（Ｐ１）との間には、コネクタ部４３から引き出されるリード線４５（４５１，４５２）を支持する支持リブ６３が設けられている。図１６〜図２２に示すように、支持リブ６３は、パイプ本体５２の周面から外側に突出されるようにして設けられている。支持リブ６３は、パイプ本体５２の周面の略周方向に板形に延びるように設けられる。支持リブ６３には、上下方向で切り込まれるスリット状の支持溝６３１，６３２が２つ並列して設けられる。支持溝６３のうち左側の第１支持溝６３１は、差し込まれた第１リード線４５１を支持する。支持溝６３のうち右側の第２支持溝６３２は、差し込まれた第２リード線４５２を支持する。
【００３０】
支持リブ６３の中間位置には、折曲部６３３が設けられている。この折曲部６３３は、第１支持溝６３１に差し込まれた第１リード線４５１と、第２支持溝６３２に差し込まれた第２リード線４５２とが前側に向かう方向で、互いに接近するようにガイドするためのものである。このため、折曲部６３３は、第１支持溝６３１と第２支持溝６３２とが支持リング７０に向かう方向で互いに対面する方向で傾くように作用している。つまり、この支持リブ６３は、第１リード線４５１および第２リード線４５２を支持する機能を有するほか、第１リード線４５１と第２リード線４５２とをガイドする機能も有している。このようにガイドされた第１リード線４５１と第２リード線４５２とは、引出し位置（Ｐ１）で接近するように案内されている。
【００３１】
ヘッド連結部６５は、パイプ本体５２に対して支持リング７０が取り付けられる。この支持リング７０は、パイプ本体５２の円環周面５２２に外嵌されるように取り付けられる。円環周面５２２の後端には、抜け留めリブ５２３が設けられている。抜け留めリブ５２３は、支持リング７０の円環周面５２２に対する後側への相対移動を規制する。この支持リング７０にあっては、パイプ本体５２に対しては、支持リング７０の周方向のみで相対的に回転できるように取り付けられている。つまり、支持リング７０は、パイプ本体５２に対して、支持リング７０の周方向のみに相対的に回転できるように取り付けられている。なお、ヘッド部８０のハウジング８１に対する支持リング７０の周方向の相対的な回転は規制されている。このため、ヘッド部８０は、パイプ本体５２に対して支持リング７０の周方向に相対的に回転可能となっている。
【００３２】
支持リング７０は、ヘッド部８０のハウジング８１に対しては、相対的に前後に揺動回転可能に取り付けられている。すなわち、支持リング７０の左右両端には、対をなす円筒リブ７４が設けられている。円筒リブ７４は、支持リング７０の径方向外側へリブ形にて突出して形成される。この対をなす円筒リブ７４は、支持リング７０の揺動回転軸として、次に説明するヘッド部８０のハウジング８１に支持される。このため、支持リング７０は、円筒リブ７４を回転軸とするように、ヘッド部８０のハウジング８１に対して相対的に前後に揺動回転することができる。なお、パイプ本体５２に対する支持リング７０の前後の相対的な揺動回転は規制されている。このため、パイプ本体５２は、ヘッド部８０に対して支持リング７０の前後の相対的な揺動回転可能となっている。
【００３３】
支持リング７０の外周面７１は、球面の一部をなすように設定される。また、支持リング７０が収められるヘッド部８０のリング収容部８２は、この球面の一部の形状に対応した凹球面形状をなしている。このため、支持リング７０は、周方向と揺動回転方向との２方向で回転が可能となっている。なお、支持リング７０とパイプ本体５２との間には、適宜の回転規制リブが設けられている。これにより、ヘッド部８０のパイプ本体５２に対する周方向に相対的に回転可動範囲は、略１８０度に亘る角度範囲にて設定される。また、支持リング７０とリング収容部８２との間には、適宜の回転規制リブが設けられている。これにより、ヘッド部８０のパイプ本体５２に対する前後の相対的な揺動回転可動範囲は、略９０度以下となる角度範囲にて設定される。
【００３４】
支持リング７０の左端（図９等の図面上では図示右端）に設定される円筒リブ７４の筒状内部は、支持リング７０の内外を貫通する送出し孔７３が設けられている。この送出し孔７３は、側面視円形に開口されている。なお、この送出し孔７３が設けられる支持リング７０の左側（図９等の図面上では図示右側）が、本発明に係る一側に相当する。つまり、この送出し孔７３が設けられる支持リング７０の左側は、ヘッド連結部６５のパイプ形の周面のうち電動モータ８５が対面する側となっている。これとは逆に、支持リング７０の右側（図９等の図面上では図示左側）が、本発明に係る他側に相当する。つまり、本発明に係る一側の周面とは左側（図９等の図面上では図示右側）の周面であり、本発明に係る他側の周面とは右側（図９等の図面上では図示左側）の周面である。
【００３５】
なお、この送出し孔７３からは、後に詳述する第１リード線４５１および第２リード線４５２が送り出される。つまり、この送出し孔７３の位置は、コネクタ部４３と電気的に接続されて電動モータ８５に送り出される第１リード線４５１および第２リード線４５２の送出し位置（Ｐ２）となっている。これら第１リード線４５１および第２リード線４５２は、送出し位置（Ｐ２）を通じて、この送出し位置（Ｐ２）と対面する電動モータ８５まで結線されている。
【００３６】
図示符号６８は、支持リング７０が円環周面５２２に対面配置されるように、支持リング７０の前側への相対移動を規制する留めリング６８である。この留めリング６８は、パイプ本体５２にカチ込まれることによりパイプ本体５２と一体となる。この留めリング６８は、支持リング７０の円環周面５２２に対する前側への相対移動を規制する。また、図示符号６９は、ヘッド部８０の気密性を高めるための介装部材である。この介装部材６９は、パッキンで構成される。この介装部材６９は、ヘッド部８０にヘッド連結部６５を連結するにあたって、ヘッド部８０のハウジング８１の内部で生ずる吸引風を損なわないようにヘッド部８０内部の気密性を高めている。このようにして支持される支持リング７０の内周面７５と円環周面５２２との間には、図１３等に示すようなリード線４５（４５１，４５２）を配線させるための周回配線空間（Ｓ２）が設けられることとなる。なお、この周回配線空間（Ｓ２）を設定するパイプ本体５２と支持リング７０とにあっても、本発明に係る空間設定部に相当する。
【００３７】
ヘッド部８０について説明する。ヘッド部８０は、概略、ハウジング８１と、電動モータ８５と、回転ブラシ８７とを有する。ハウジング８１は、左右方向に延びる直方体形状の略箱形をなす。このハウジング８１は、下ハウジング８１１と上ハウジング８１２とを合体させることにより形成される。このハウジング８１の内部は、この内部で生ずる吸引風を損なわないように構成されると共に、各種部材の収容するための構造が設けられる。具体的には、ハウジング８１の内部には、リング収容部８２と、モータ収容部８３と、ブラシ収容部８４とが設けられている。リング収容部８２は、上記した支持リング７０が収められる部分である。リング収容部８２は、凹球面形状をなす凹球面部８２１と、円筒リブ７４を軸受けする軸受け部８２２とを有する。このリング収容部８２は、左右方向に延ばされたハウジング８１の左右中間位置に設定されている。
【００３８】
モータ収容部８３は、ハウジング８１の内部において、リング収容部８２に対して相対的に左側に配置されている。モータ収容部８３には、電動モータ８５を収容支持する適宜の収容凹形状および支持形状が設けられている。なお、ブラシ収容部８４にも、回転ブラシ８７を収容支持する適宜の収容凹形状および支持形状が設けられている。モータ収容部８３は、リング収容部８２に対して相対的に左側に配置されている。このため、このモータ収容部８３に収容される電動モータ８５も、リング収容部８２に対して相対的に左側（一側）に配置されている。つまり、電動モータ８５は、ヘッド部８０のヘッド連結部６５と連結される箇所に対して一側となる左側に配置される。この電動モータ８５は、広く利用されるブラシモータにて構成され、電力が供給されることにより回転駆動する。電動モータ８５には第１リード線４５１と第２リード線４５２とが結線される。このように電動モータ８５にリード線４５が結線されることにより電動モータ８５に電力が供給される。
【００３９】
電動モータ８５の回転軸８５１には、ベルト８８が巻き回されている。このベルト８８は、回転ブラシの伝達部８７２にも巻き回されている。このため、ベルト８８は回転軸８５１の回転を受けて周回すると共に、周回するベルト８８は回転ブラシ８７の伝達部８７２を回転させる。つまり、回転ブラシ８７は、電動モータ８５の回転駆動を受けて回転される。回転ブラシ８７は、ハウジング８１のブラシ収容部８４に収容されて支持される。この回転ブラシ８７は、左右方向に延びるブラシ本体８７１と、ブラシ本体８７１の左端に設定される伝達部８７２とを有する。ブラシ本体８７１は、ハウジング８１の下面の開口部８１３に亘る範囲に設定される。
【００４０】
次に、上記した第１リード線４５１および第２リード線４５２の配線について説明する。図１６の斜視図は、パイプ部材５１におけるリード線４５の配線を示す。図１７の正面視図は、図１６においてリード線４５の配線を正面視により示す。図１８の上面視図は、図１６においてリード線４５の配線を上面視により示す。図１６〜図１８に示すように、コネクタ部４３と結線される第１リード線４５１および第２リード線４５２は、上記した周回配線空間（Ｓ２）を通じて送出し位置（Ｐ２）となる送出し孔７３へ配線されている。ここで、第１リード線４５１は、円環周面５２２のうち一側の周面となる左側周面７７（図１７等の図面上では図示右側）に沿って配線されている。これに対して、第２リード線４５２は、円環周面５２２のうち他側の周面となる右側周面７８（図１７等の図面上では図示左側）に沿って配線されている。つまり、第２リード線４５２は、送出し位置（Ｐ２）となる送出し孔７３が設けられる左側周面７７とは反対側の右側周面７８に沿って配線されている。
【００４１】
上記したように、第１リード線４５１と第２リード線４５２とは、略同位置の引出し位置（Ｐ１）で引き出され、略同位置の送出し位置（Ｐ２）に送り出される。ここで、第１リード線４５１は円環周面５２２の左側周面７７に沿って配線され、第２リード線４５２は円環周面５２２の左側周面７８に沿って配線される。このため、第２リード線４５２は、第１リード線４５１よりも長く設定されている。ただ、これら第１リード線４５１と第２リード線４５２とは、パイプ部材５１を支持リング７０に対して、左９０度で相対的に回転させた場合や右９０度で相対的に回転させた場合でも、テンションが上がらずに配線される十分の長さ量が確保されている。なお、支持リング７０に対してパイプ部材５１を回転させていない中間位置にある場合でも、引出し空間（Ｓ１）と周回配線空間（Ｓ２）とは、互いの空間範囲が連なるように設定される。つまり、第１リード線４５１と第２リード線４５２とは、引出し空間（Ｓ１）と周回配線空間（Ｓ２）との互いの空間の間でストレスなく動けるようになっている。この場合にも、第１リード線４５１と第２リード線４５２とは、互いに重なることなく配置されるようになっている。
【００４２】
図１９および図２０では、パイプ部材５１を、支持リング７０（ヘッド部８０）に対して左９０度に相対的に回転した場合の第１リード線４５１および第２リード線４５２を示す。このようにパイプ部材５１を左９０度に相対的に回転した場合でも、引出し空間（Ｓ１）と周回配線空間（Ｓ２）とは、互いの空間範囲が連なるように設定される。つまり、左９０度に相対的に回転した場合でも、第１リード線４５１と第２リード線４５２とは、引出し空間（Ｓ１）と周回配線空間（Ｓ２）との互いの空間をストレスなく動けるようになっている。このような左９０度で回転している場合、引出し位置（Ｐ１）と送出し位置（Ｐ２）とは、互いに重なり合うような略同位置に配置される。このような場合では、第１リード線４５１は、第１リード線４５１の余す長さを引出し空間（Ｓ１）において撓ませることにより吸収させるものとなっている。また、第２リード線４５２は、第２リード線４５２が通る経路上でテンションがかかることなく十分に配線されるように、それまでの撓みが延ばされるようになっている。つまり、第１リード線４５１と第２リード線４５２とは、互いに重なることなく配置させることができる。
【００４３】
これに対し、図２１および図２２では、パイプ部材５１を、支持リング７０（ヘッド部８０）に対して右９０度に相対的に回転した場合の第１リード線４５１および第２リード線４５２を示す。このようにパイプ部材５１を右９０度に相対的に回転した場合でも、引出し空間（Ｓ１）と周回配線空間（Ｓ２）とは、互いの空間範囲が連なるように設定される。つまり、右９０度に相対的に回転した場合でも、第１リード線４５１と第２リード線４５２とは、引出し空間（Ｓ１）と周回配線空間（Ｓ２）との互いの空間をストレスなく動けるようになっている。このような右９０度で回転している場合、引出し位置（Ｐ１）と送出し位置（Ｐ２）とは、支持リング７０において互いに反対側となる位置に配置される。このような場合では、第１リード線４５１は、第１リード線４５１が通る経路上でテンションがかかることなく十分に配線されるように、それまでの撓みが延ばされるようになっている。また、第２リード線４５２は、第２リード線４５２の余す長さを引出し空間（Ｓ１）において撓ませることにより吸収させるものとなっている。つまり、第１リード線４５１と第２リード線４５２とは、互いに重なることなく配置させることができる。
【００４４】
上記したクリーナ１０によれば、次のような作用効果を奏することができる。すなわち、上記したクリーナ１０によれば、第１リード線４５１はパイプ連結部６５のパイプ形の左側周面７７に沿って配線され、第２リード線はパイプ連結部６５のパイプ形の右側周面７８に沿って配線される。これによって、第１リード線４５１と第２リード線４５２とを２方向に回して配線することができるので、これらのリード線４５１，４５２の重なりを防ぐことができる。したがって、リード線４５１，４５２が重なることにより生じてしまうリード線４５１，４５２の屈曲を防止することができる。つまり、リード線４５１，４５２の屈曲が局所的に集中してしまうのを無くして、リード線４５１，４５２の断線原因を取り除くことができる。さらに言えば、第１リード線４５１と第２リード線４５２のそれぞれが、互いに相反する方向に引き回して配線されるので、部材を組み付ける際リード線４５１，４５２の収容を確実に行うことができる。これによって、収容したリード線４５１，４５２を覆うように支持リング７０を組み付けるに際しての組付け作業の容易化かつ確実化を図ることができる。
【００４５】
また、上記したクリーナ１０によれば、左側周面７７に沿って配線される第１リード線７７を、左側のコネクタ部４３に結線されるリード線４５１で設定し、右側周面７８に沿って配線される第２リード線４５２を、右側のコネクタ部４３に結線されるリード線４５２で設定している。これによって、リード線４５１，４５２は引き出される箇所から重なることなく分けられる。したがって、リード線４５１，４５２が重なることにより生じるリード線４５１，４５２の屈曲を更に防止すると共に、支持リング７０を組み付ける際のリード線４５１，４５２の収容を更に確実に行うことができる。
【００４６】
また、上記したクリーナ１０によれば、リード線４５１，４５２の引出し位置（Ｐ１）はパイプ形の周面の上側に設定されており、リード線４５１，４５２の送出し位置（Ｐ２）は、パイプ形の円環周面５２２の左側周面７７に設定されている。これによって、左側周面７７に沿って配線される第１リード線４５１の長さと、右側周面７８に沿って配線される第２リード線４５２の長さとを不等長となる長さにすることができる。したがって、パイプ連結部６５（パイプ本体５２）を支持リング７０に対して周方向に相対的に回転させた場合に、第１リード線４５１と第２リード線４５２とが撓む互いの撓み量を相対的に相違したものにすることができる。このようにして、第１リード線４５１と第２リード線４５２との互いリード線４５同士の重なりをより高く防ぐことができて、リード線４５同士の屈曲をより防止することができる。
【００４７】
また、上記したクリーナ１０によれば、支持リブ６３がコネクタ部４３から引き出されるリード線４５１，４５２の位置を支持するので、このコネクタ部４３にて負荷がかかることがあっても、引き出されるリード線４５１，４５２を撓ませることがなくなる。したがって、リード線４５１，４５２の局所的な屈曲をより防止して、よりリード線４５１，４５２の断線原因を取り除くことができる。また、上記したクリーナ１０によれば、支持リブ６３が、引出し位置（Ｐ１）の周辺におけるリード線４５１，４５２を案内することができるので、リード線４５１，４５２の局所的な屈曲をより防止することができる。また、上記したクリーナ１０によれば、引出し位置（Ｐ１）の周辺にリード線４５を移動可能とする引出し空間（Ｓ１）を設定しているので、パイプ形の円環周面５２２上を周方向でリード線４５１，４５２を移動させ易くする。これによって、引出し位置（Ｐ１）の周辺でリード線４５１，４５２の局所的な屈曲をより防ぐことができて、より電線の断線原因を取り除くことができる。
【００４８】
なお、本発明に係るクリーナにあっては、上記した実施の形態のクリーナの構成に限定されるものではなく、適宜変更が加えられて構成されるものであってもよい。すなわち、上記した実施の形態のクリーナ本体１１の構成にあっては、上記した実施の形態の構成を適宜に変更して構成されるものであってもよい。また、本発明に係るパワーノズルにあっては吸込み口に連結されるものであればよく、この吸込み口としては延長パイプ３０の吸込み口３６に限られず、クリーナ本体１１の吸込み口２２であってもよい。また、電動モータ８５の配置位置としてはハウジング８１の右側に設定されるものであってもよく、このような場合には、送出し位置（Ｐ２）を設定する送出し孔７３の位置については支持リング７０の右側に設定されることとなる。
【符号の説明】
【００４９】
１０  クリーナ
１１  クリーナ本体
１２  本体ハウジング
１３  本体モータ
１４  ファン
１５  充電式バッテリ
１６  フィルタ
１７  開閉カバー
１８  ハンドル部
１９  操作入力部
２１  突出パイプ部
２２  吸込み口
２３  連結機構
２３１  解除ボタン
２３２  コネクタ端子
３０  延長パイプ
３３  被連結部
３５  突出パイプ部
３６  吸込み口
３７  連結機構
３７１  解除ボタン
３７２  コネクタ端子
３８  連結リング
３９  スキマノズル
４０  パワーノズル
４２  接続端子
４３  コネクタ部
４４  被保持部
４５  リード線（電線）
４５１  第１リード線
４５２  第２リード線
５０  連結部
５１  パイプ部材
５２  パイプ本体
５２１  上側周面
５２２  円環周面
５２３  抜け留めリブ
５３  へ字形屈曲部
５５  本体連結部
５６  被連結部
５６１  結合部
５６２  雌フック部
５７  保持リブ部
５７１  嵌合保持部
５８  カバー支持部
５８１  支持縁部
５８２  係止凹部
５９  螺子留めボス
５９５  螺子部材
６０  カバー部材
６０１  螺子留め孔
６０２  外周端縁
６０３  係止鉤部
６０５  ドーム形部
６３  支持リブ
６５  ヘッド連結部
６８  留めリング
６９  介装部材
７０  支持リング
７１  外周面
７３  送出し孔
７４  円筒リブ
７５  内周面
７７  左側周面（一側の周面）
７８  右側周面（他側の周面）
８０  ヘッド部
８１  ハウジング
８１１  下ハウジング
８１２  上ハウジング
８１３  開口部
８２  リング収容部
８２１  凹球面部
８２２  軸受け部
８３  モータ収容部
８４  ブラシ収容部
８５  電動モータ
８５１  回転軸
８７  回転ブラシ
８７１  ブラシ本体
８７２  伝達部
８８  ベルト
Ｐ１  引出し位置
Ｐ２  送出し位置
Ｓ１  引出し空間
Ｓ２  周回配線空間
【図１】
0006342324.tif 000002
【図２】
0006342324.tif 000003
【図３】
0006342324.tif 000004
【図４】
0006342324.tif 000005
【図５】
0006342324.tif 000006
【図６】
0006342324.tif 000007
【図７】
0006342324.tif 000008
【図８】
0006342324.tif 000009
【図９】
0006342324.tif 000010
【図１０】
0006342324.tif 000011
【図１１】
0006342324.tif 000012
【図１２】
0006342324.tif 000013
【図１３】
0006342324.tif 000014
【図１４】
0006342324.tif 000015
【図１５】
0006342324.tif 000016
【図１６】
0006342324.tif 000017
【図１７】
0006342324.tif 000018
【図１８】
0006342324.tif 000019
【図１９】
0006342324.tif 000020
【図２０】
0006342324.tif 000021
【図２１】
0006342324.tif 000022
【図２２】
0006342324.tif 000023